(57)【要約】      （修正有）【課題】緊急災害などに備えて、所望の場所で容易に稼働できるデータセンタを提供する。【解決手段】ネットワークを介してデータを送受信して処理するのに必要な複数のＩＣＴ機器（サーバ、ストレージ、スイッチなど）が、持ち運び可能なアタッシュケース２に収容されている。アタッシュケース２のケース本体３には、ハンドル８が取り付けられている。これにより、車両や船舶などの輸送手段がなくても、アタッシュケース２を任意の場所へ持ち運んでデータセンタ１を構築することができる。また、ハンドル８を把持してアタッシュケース２を持ち運ぶことにより、データセンタ１を楽に移動させることができる。【選択図】図１
0003199392.tif 000002
【実用新案登録請求の範囲】
【請求項１】
ネットワークを介してデータを送受信して処理するのに必要な複数のＩＣＴ機器が、持ち運び可能なケースに収容されていることを特徴とするデータセンタ。
【請求項２】
前記ケースには、ＵＳＢ３．１を基準とする共通バスが配設され、前記複数のＩＣＴ機器は当該共通バスにぶら下がる形で互いに接続されていることを特徴とする請求項１に記載のデータセンタ。
【請求項３】
前記ケースにハンドルが設けられていることを特徴とする請求項１または２に記載のデータセンタ。
【請求項４】
前記複数のＩＣＴ機器は、出力変動の激しい外部電源から直接給電されて動作しうるように構成されていることを特徴とする請求項１乃至３のいずれかに記載のデータセンタ。
【請求項５】
前記複数のＩＣＴ機器に給電するバッテリが前記ケースに内蔵されていることを特徴とする請求項１乃至４のいずれかに記載のデータセンタ。
【考案の詳細な説明】
【技術分野】
【０００１】
本考案は、ネットワークを介してデータを送受信して処理するのに必要な複数のＩＣＴ機器（サーバ、ルータ、スイッチなどの情報通信機器）を備えたデータセンタに関するものである。
【背景技術】
【０００２】
データセンタは、安全な建築物環境にてＩＣＴ機器を預かる場所、もしくは大規模のＩＣＴ機器を運営する場所である。これらは大容量のネットワークを前提に成り立つ。しかし、天変地異等では逆に災いして運用停止になる恐れがある。それを防ぐため、ＤＲ（ディザスタリカバリ）を用いて複数の事業所で相互運用する方法が一般的であるが、それには莫大な費用がかかる。
【０００３】
そこで、データセンタを随時移動可能なものとすべく、コンテナ型のデータセンタ（すなわち、貨物用コンテナ内にラックを設置し、このラックにＩＣＴ機器を収容したデータセンタ）を構築し、その貨物用コンテナを車両（トレーラ）や船舶などの輸送手段によって路上や海上で牽引して輸送する技術が提案されていた（例えば、特許文献１参照）。
【先行技術文献】
【特許文献】
【０００４】
【特許文献１】特開２０１２−２５６１２２号公報
【考案の概要】
【考案が解決しようとする課題】
【０００５】
しかし、こうしたコンテナ型のデータセンタでは、貨物用コンテナを輸送するための輸送手段が必要になり、その実行にはそれなりの準備を要するため、データセンタを所望の場所で稼働させることに困難を伴う場合があった。特に、緊急災害時には、現地でデータセンタを構築して緊急運用することが社会的に強く望まれるにもかかわらず、そうした要望に必ずしも迅速に応えられない。
【０００６】
従来の考え方は、データセンタ全体を複数設置することや移動するために大規模になる。逆に、データセンタを機能で見ると、このデータセンタの最小機能が複数集合したものである（図２参照）。その最小単位を移動可能なケースに収容することで簡単に可搬となる。データセンタが複数必要な場合は、優先順位ごとに複数台を準備する。
【０００７】
本考案は、このような事情に鑑み、所望の場所で容易に稼働させることが可能なデータセンタを提供することを目的とする。
【課題を解決するための手段】
【０００８】
かかる目的を達成するため、請求項１に記載の考案は、ネットワークを介してデータを送受信して処理するのに必要な複数のＩＣＴ機器が、持ち運び可能なケースに収容されているデータセンタとしたことを特徴とする。
【０００９】
また、請求項２に記載の考案は、請求項１に記載の構成に加え、前記ケースには、ＵＳＢ３．１を基準とする共通バスが配設され、前記複数のＩＣＴ機器は当該共通バスにぶら下がる形で互いに接続されていることを特徴とする。
【００１０】
また、請求項３に記載の考案は、請求項１または２に記載の構成に加え、前記ケースにハンドルが設けられていることを特徴とする。
【００１１】
また、請求項４に記載の考案は、請求項１乃至３のいずれかに記載の構成に加え、前記複数のＩＣＴ機器は、出力変動の激しい外部電源から直接給電されて動作しうるように構成されていることを特徴とする。
【００１２】
さらに、請求項５に記載の考案は、請求項１乃至４のいずれかに記載の構成に加え、前記複数のＩＣＴ機器に給電するバッテリが前記ケースに内蔵されていることを特徴とする。
【考案の効果】
【００１３】
請求項１に記載の考案によれば、持ち運び可能なケースに複数のＩＣＴ機器が収容されているので、従来のコンテナ型のデータセンタと異なり、貨物用コンテナを輸送する車両（トレーラ）や船舶などの輸送手段がなくても、ケースを任意の場所へ持ち運んでデータセンタを構築することができる。その結果、データセンタを所望の場所で容易に稼働させることが可能となる。したがって、緊急災害時においては、現地でデータセンタを構築して緊急運用することができる。
【００１４】
また、請求項２に記載の考案によれば、複数のＩＣＴ機器が共通バスにぶら下がる形で互いに接続されているので、従来のケーブル配線と違って、複数のＩＣＴ機器間の配線を廃止することができる。
【００１５】
また、請求項３に記載の考案によれば、ケースにハンドルが設けられているので、このハンドルを把持してケースを持ち運ぶことにより、データセンタを楽に移動させることができる。
【００１６】
また、請求項４に記載の考案によれば、出力変動の激しい外部電源から複数のＩＣＴ機器に直接給電されうることから、こうした出力変動の激しい外部電源をそのまま（電圧を調整することなく）有効に利活用することが可能となり、データセンタの有用性が向上する。
【００１７】
また、請求項５に記載の考案によれば、ケースにバッテリが内蔵されているので、外部電源に頼れない状況においても、データセンタを支障なく稼働させることが可能となり、データセンタの利便性が向上する。
【図面の簡単な説明】
【００１８】
【図１】本考案の実施の形態１に係るデータセンタを示す斜視図である。
【図２】同実施の形態１に係るデータセンタに必要な最小機能を示す項目である。
【図３】同実施の形態１に係るデータセンタの部品構成を示す平面模式図である。
【図４】同実施の形態１に係るデータセンタの使用状態を示す模式図である。
【図５】同実施の形態１に係る共通バスとＩＣＴ機器との接続状態を示す斜視図である。
【考案を実施するための形態】
【００１９】
以下、本考案の実施の形態を図面に基づいて説明する。
【００２０】
［考案の実施の形態１］
図１乃至図５には、本考案の実施の形態１を示す。なお、図１においては、複数のＩＣＴ機器およびバッテリの図示を省略している。
【００２１】
この実施の形態１に係るデータセンタ１は、図１に示すように、持ち運び可能なアタッシュケース（ケース）２を有しており、このアタッシュケース２は、箱状のケース本体３と、このケース本体３に開閉自在に取り付けられた蓋体５とを備えている。また、ケース本体３にはハンドル（取っ手、持ち手）８が取り付けられている。
【００２２】
そして、アタッシュケース２のケース本体３には、図３に示すように、インターネットなどのネットワークを介してデータを送受信して処理するのに必要な複数のＩＣＴ機器として、複数の小型のサーバ１１、複数の通信機１２、複数のストレージ１３、ＬＡＮスイッチ１５およびルータ１７が整然と並べられて格納されているとともに、ＬＶＤＣ（低電圧直流電源構想）装置２０およびＡＣ電源１９が格納されている。ここで、アタッシュケース２には、ＵＳＢ３．１を基準とする共通バス２１が配設されており、これらのＩＣＴ機器（サーバ１１、通信機１２、ストレージ１３、ＬＡＮスイッチ１５およびルータ１７）は、図３および図５に示すように、共通バス２１にぶら下がる形で互いに接続されている。また、これらのＩＣＴ機器は、図４に示すように、ＬＶＤＣ装置２０が共通バス２１に接続されることにより、ＡＣ電源１９はもとより、太陽光・太陽熱エネルギ、風力エネルギなどの再生可能エネルギ、つまり、出力変動の激しい外部電源から直接給電されて動作しうるように構成されている。
【００２３】
さらに、アタッシュケース２には、図３に示すように、複数のＩＣＴ機器に給電する複数のバッテリ（二次電池）１６が蓋体５に搭載される形で内蔵されている。
【００２４】
なお、このデータセンタ１を機能で見ると、図２に示すように、その最小機能（ルータ、Ｆ／Ｗ、セキュア等）が複数集合したものである。
【００２５】
このように、データセンタ１は、持ち運び可能なアタッシュケース２に複数のＩＣＴ機器が収容されているので、従来のコンテナ型のデータセンタと異なり、貨物用コンテナを輸送する車両（トレーラ）や船舶などの輸送手段がなくても、アタッシュケース２を任意の場所へ持ち運んでデータセンタ１を構築することができる。その結果、データセンタ１を所望の場所で容易に稼働させることが可能となる。したがって、緊急災害時においては、現地でデータセンタ１を構築して緊急運用することができる。
【００２６】
このとき、データセンタ１は、上述したとおり、アタッシュケース２にハンドル８が設けられているので、このハンドル８を把持してアタッシュケース２を持ち運ぶことにより、データセンタ１を現地まで楽に移動させることができる。
【００２７】
しかも、このデータセンタ１は、上述したとおり、複数のＩＣＴ機器が共通バス２１にぶら下がる形で互いに接続されているので、従来のケーブル配線と違って、複数のＩＣＴ機器間の配線を廃止することができる。
【００２８】
また、このデータセンタ１は、上述したとおり、出力変動の激しい外部電源から複数のＩＣＴ機器に直接給電されうることから、こうした出力変動の激しい外部電源をそのまま（電圧を調整することなく）有効に利活用することが可能となり、データセンタ１の有用性が向上する。
【００２９】
さらに、このデータセンタ１は、上述したとおり、アタッシュケース２にバッテリ１６が内蔵されているので、外部電源に頼れない状況においても、このバッテリ１６を使用してデータセンタ１を支障なく稼働させることが可能となり、データセンタ１の利便性が向上する。
【００３０】
［考案のその他の実施の形態］
なお、上述した実施の形態１では、アタッシュケース２の蓋体５にバッテリ１６が搭載されたデータセンタ１について説明したが、このバッテリ１６は、必ずしも蓋体５に搭載する必要はなく、ケース本体３に格納しても構わない。
【００３１】
また、上述した実施の形態１では、ケース本体３にハンドル８が設けられたアタッシュケース２について説明したが、蓋体５にハンドル８を設けることも勿論できる。さらに、アタッシュケース２の運搬状況などによっては、このハンドル８を省くことも可能である。
【００３２】
また、上述した実施の形態１では、ケースとしてアタッシュケース２を採用したデータセンタ１について説明したが、持ち運び可能なものである限り、アタッシュケース２以外のケース（例えば、大型のトランク、スーツケース（旅行かばん）など）を代用することも可能である。このとき、ケースの底面にキャスタ（脚車）が取り付けられていれば、データセンタ１を一層楽に移動させることができる利点がある。
【産業上の利用可能性】
【００３３】
本考案は、特に、緊急災害時に現地でデータセンタを構築して緊急運用する必要性が高い場合に好適に適用することができる。
【符号の説明】
【００３４】
１……データセンタ
２……アタッシュケース（ケース）
３……ケース本体
５……蓋体
８……ハンドル
１１……サーバ（ＩＣＴ機器）
１２……通信機（ＩＣＴ機器）
１３……ストレージ（ＩＣＴ機器）
１５……ＬＡＮスイッチ（ＩＣＴ機器）
１６……バッテリ
１７……ルータ（ＩＣＴ機器）
１９……ＡＣ電源
２０……ＬＶＤＣ装置
２１……共通バス
【図１】
0003199392.tif 000003
【図２】
0003199392.tif 000004
【図３】
0003199392.tif 000005
【図４】
0003199392.tif 000006
【図５】
0003199392.tif 000007